(57)【特許請求の範囲】
【請求項１】
底片と、この底片の両側部に設けられた側片とよりなる略Ｕ字状の取付本体の両側片に、竪樋の両側部に形成された凹溝に符合する係止部が内方に向けて突出して設けられた竪樋取付具において、前記底片には屋内側に突出した２本の脚片と、この２本の脚片の先端を連結した脚部底片とからなる脚部が設けられ、この脚部底片に側方に開放された切欠付きの取付孔が設けられており、取付本体の底片には２本の脚片の中間部に挿入孔が設けられていることを特徴とする竪樋取付具。
【発明の詳細な説明】
【０００１】
【産業上の利用分野】
本発明は、竪樋を建物の外壁に取り付ける竪樋取付具に関する。
【０００２】
【従来の技術】
従来の竪樋取付具としては、例えば実公平３−５４５０７号公報に記載されて知られている。上記公報記載の竪樋取付具は、底片と、この底片の両側部に設けられた側片とよりなる略Ｕ字状の取付本体の両側片に、竪樋の両側部に形成された凹溝に符合する係止部が内方に向けて突出して設けられ、底片の中央部に釘やビス等の固定具が挿入できる取付孔が形成されている。
【０００３】
上記従来の竪樋取付具は、取付孔に固定具を挿入して外壁に直付けされ、係止部を竪樋の両側部に形成された凹溝に係止して竪樋を取り付けて使用される。この場合、竪樋を外壁から浮かして取り付けるには、図３の従来の竪樋吊具１ａに示すように、底片３に屋内側に突出した２本の脚片７、７と、この２本の脚片７、７の先端を連結した脚部底片８とからなる脚部６ａが設けられ、底片３のほぼ中央部に設けられた挿入孔１０から固定具１３を挿入し、脚部底片８に設けられた固定具１３の取付孔９ａに固定具１３の頭部を係止して外壁に取り付けられる。
このようにして取り付けられた竪樋の前面部には、竪樋取付具が露出していないので、外観がすっきりして竪樋を取り付けることができる。
【０００４】
【発明が解決しようとする課題】
しかし、上記公報記載の竪樋取付具に脚部が設けられたとき、この脚部に使用される固定具のサイズが制限されて問題となる場合がある。この問題を図３に示した従来の竪樋取付具１ａを参照して説明すると、固定具１３の頭部の直径ｄが底片３に設けられた挿入孔１０の直径Ｄより大きく、且つ固定具１３の長さｌが脚片７の長さＬより大きい場合、この固定具１３の頭部は挿入孔１０に挿入することができないので、竪樋取付具１ａを脚部６ａの脚部底片８に設けられた取付孔９ａに固定具１３の頭部を係止して、外壁に取り付けることができない。この際、底片３に設けられた挿入孔１０を大きくすれば、固定具１３を取り付けることができるが、そうすると底片３の幅を大きくしなければならないので、外観デザインや価格の関係で制限され、実用上問題が生じることとなる。
【０００５】
そこで、本発明は上記の問題を解決するためになされたものであって、本発明の目的は、固定具のサイズに制限を受けにくい竪樋取付具を提供することである。
【０００６】
【課題を解決するための手段】
本発明は、上記目的を達成するためになされたものであって、底片と、この底片の両側部に設けられた側片とよりなる略Ｕ字状の取付本体の両側片に、竪樋の両側部に形成された凹溝に符合する係止部が内方に向けて突出して設けられた竪樋取付具において、前記底片には屋内側に突出した２本の脚片と、この２本の脚片の先端を連結した脚部底片とからなる脚部が設けられ、この脚部底片に側方に開放された切欠付きの取付孔が設けられており、取付本体の底片には２本の脚片の中間部に挿入孔が設けられていることを特徴とする竪樋取付具である。
【０００７】
【作用】
本発明の竪樋取付具は、脚部底片に側方に開放された切欠付きの取付孔が設けられているので、あらかじめ外壁に固定具の頭部を浮かして取り付け、側方に開放された切欠から釘やビス等の固定具の軸部を挿入し、脚部底片の取付孔にこの固定具の頭部を係止し、最後に脚部底片に固定具の頭部が密着するまで打ち込んだり螺入させると、竪樋取付具をしっかり固定することができる。従って、固定具の長さが長くて頭部が大きい固定具でも、制限されることなく使用できる。
【０００８】
【実施例】
次に、本発明の実施例を図面を参照しながら説明する。
図１〜２は、本発明の一実施例であって、図１は竪樋取付具の斜視図であり、図２は図１の竪樋取付具の使用状態を示す断面図である。
【０００９】
１は竪樋取付具、２は取付本体、６は脚部、１１は竪樋、１３は固定具、１４は外壁、１５は構造材である。
上記竪樋取付具１は、底片３と、この底片３の両側部に設けられた側片４、４とよりなる略Ｕ字状の取付本体２の両側片４、４に、竪樋１１の両側部に形成された凹溝１２、１２に符合する係止部５、５が内方に向けて突出して設けられている。
【００１０】
前記底片３には、屋内側に突出した２本の脚片７、７と、この２本の脚片７、７の先端を連結した脚部底片８とからなる脚部６が設けられ、この脚部底片８に側方に開放された切欠付きの取付孔９が設けられている。
上記竪樋取付具１の施工方法を図２を参照して説明しながら、本実施例の作用を述べる。
【００１１】
図２の外壁１４は断熱材が組み込まれたパネルであって、この外壁１４には釘やビス等の固定具１３を固定することができないので、外壁１４の内側に設けられた構造材１５に固定する例を示している。このため、本実施例に使用される固定具１３は、その頭部で竪樋取付具１の脚部底片８を外壁面に固定したとき、固定具１３の先端部で構造材１５に固定できる長さとなされ、頭部が挿入孔１０より大きいビスが使用されている。
【００１２】
本実施例の竪樋取付具１は、脚部底片８に側方に開放された切欠付きの取付孔９が設けられているので、あらかじめ外壁１４に固定具１３の頭部を浮かして取り付け、側方に開放された切欠付きの取付孔９から固定具１３の軸部を挿入し、脚部底片８の取付孔９にこの固定具１３の頭部を係止し、最後に脚部底片８に固定具１３の頭部が密着するまでねじ込んで螺入させると、竪樋取付具１をしっかり固定することができる。従って、固定具１３の長さが長くて頭部が挿入孔１０より大きい固定具１３でも、制限されることなく使用できる。
【００１３】
【発明の効果】
本発明の竪樋取付具は、脚部底片に側方に開放された切欠付きの取付孔が設けられているので、固定具の長さが長くて頭部が取付本体の底片に設けられた挿入孔より大きい固定具でも、制限されることなく使用できる。従って、従来の竪樋取付具のように底片の幅を大きくしなくてもよいので、外観デザインに不都合をきたすことはなく、また価格が上昇することもないので経済的である。
【図面の簡単な説明】
【図１】本発明の一実施例であって、谷樋の一部切欠斜視図である。
【図２】図１の竪樋取付具の使用状態を示す断面図である。
【図３】従来の竪樋取付具の斜視図である。
【符号の説明】
１、１ａ              竪樋取付具
２                    取付本体
３                    底片
４                    側片
５                    係止部
６                    脚部
７                    脚片
８                    脚部底片
９                    取付孔
１０                  挿入孔
１１                  竪樋
１２                  凹溝
【図１】
0003547829.tif 000002
【図２】
0003547829.tif 000003
【図３】
0003547829.tif 000004